(57)【要約】【課題】状況に合わせてた使い方を可能にして、脂質によりレンズ部分を汚してしまうことを確実に防止すること。【解決手段】眼鏡拭き用クロスは、レンズを拭くためのレンズ拭き専用領域１と、枠を拭くための枠拭き専用領域２とに視覚により識別できるようにしてある。レンズ拭き専用領域１は、眼鏡拭き用クロスの一面（表面）にあり、枠拭き専用領域２は、その他面（裏面）にある。また、レンズ拭き専用領域１と、枠拭き専用領域２とは、色彩により識別してあってもよい。眼鏡拭き用クロスの形状は、長方形、正方形、円形などであってもよい。【選択図】図１
2008145449.tif 000002
【特許請求の範囲】
【請求項１】
レンズと枠とからなる眼鏡を拭くための眼鏡拭き用クロスであって、
前記レンズを拭くためのレンズ拭き専用領域と、
前記枠を拭くための枠拭き専用領域と、
に視覚により識別できるようにしたことを特徴とする眼鏡拭き用クロス。
【請求項２】
前記レンズ拭き専用領域は、眼鏡拭き用クロスの一面にあり、
前記枠拭き専用領域は、その他面にあることを特徴とする請求項１に記載の眼鏡拭き用クロス。
【請求項３】
前記レンズ拭き専用領域と、前記枠拭き専用領域とは、眼鏡拭き用クロスの同じ面にあり、
当該同じ面で、前記レンズ拭き専用領域と、前記枠拭き専用領域とに識別してあることを特徴とする請求項１に記載の眼鏡拭き用クロス。
【発明の詳細な説明】
【技術分野】
【０００１】
本発明は、レンズと枠とからなる眼鏡を拭くための眼鏡拭き用クロスに関する。
【背景技術】
【０００２】
特許文献１等に開示してあるように、従来より、眼鏡の汚れを拭き取るために、一般的には、専用のクロスを使用している。
【０００３】
また、特許文献２等に開示してあるように、市販されている眼鏡拭き用クロスは、通常、１枚の矩形状の布、例えば、合成繊維の極細フィラメントからなる。天然繊維に比較して吸水性はほとんど無いが、極細フィラメントの径やフィラメント同士の間隙が眼鏡に付着する油脂肪、水滴、細かな塵埃による曇りと大きさが近づくことや、極細繊維であり、繊維の表面積が非常に大きくなるため、効率よく、眼鏡の曇りをとることができる。
【０００４】
【特許文献１】特開平９−１９１９１７号公報
【０００５】
【特許文献２】特開２００１−１４６６５７号公報
【発明の開示】
【発明が解決しようとする課題】
【０００６】
ところで、眼鏡は、大略的には、近視又は遠視用等のレンズ部分と、耳の上方に係止する枠部分とからなる。
【０００７】
このレンズ部分での汚れは、基本的に、視認性を阻害する細かな塵埃のホコリ等である一方、枠部分での汚れは、人の脂質によるものであり、それぞれの汚れの状況が異なっている。
【０００８】
しかしながら、上述した従来の１枚からなる眼鏡拭き用クロスにより、レンズ部分と枠部分との両方を拭くと、枠部分の脂質による汚れがレンズ部分に付着してしまうことが多々ある。
【０００９】
その結果、眼鏡拭き用クロスを用いてわざわざレンズ部分を拭いているにも拘わらず、脂質によりレンズ部分をかえって汚してしまうといったことがある。
【００１０】
本発明は、上述したような事情に鑑みてなされたものであって、レンズ拭き専用領域と枠拭き専用領域とに視覚により識別できるようにし、状況に合わせてた使い方を可能にして、脂質によりレンズ部分を汚してしまうことを確実に防止することができる、眼鏡拭き用クロスを提供することを目的とする。
【課題を解決するための手段】
【００１１】
上記の目的を達成するため、本発明に係る眼鏡拭き用クロスは、
【００１２】
レンズと枠とからなる眼鏡を拭くための眼鏡拭き用クロスであって、
【００１３】
前記レンズを拭くためのレンズ拭き専用領域と、
【００１４】
前記枠を拭くための枠拭き専用領域と、
に視覚により識別できるようにしたことを特徴とする。
【００１５】
好適には、前記レンズ拭き専用領域は、眼鏡拭き用クロスの一面にあり、
【００１６】
前記枠拭き専用領域は、その他面にある。
【００１７】
また、好適には、前記レンズ拭き専用領域と、前記枠拭き専用領域とは、眼鏡拭き用クロスの同じ面にあり、
【００１８】
当該同じ面で、前記レンズ拭き専用領域と、前記枠拭き専用領域とに識別してある。
【発明の効果】
【００１９】
本発明によれば、レンズ拭き専用領域と枠拭き専用領域とに視覚により識別できるようにし、状況に合わせてた使い方を可能にして、脂質によりレンズ部分を汚してしまうことを確実に防止することができる。
【発明を実施するための最良の形態】
【００２０】
以下、本発明の実施の形態に係る眼鏡拭き用クロスを図面を参照しつつ説明する。
【００２１】
（第１実施の形態：図１及び図２）  
【００２２】
図１（ａ）は、本発明の第１実施の形態に係る眼鏡拭き用クロスの表面と裏面との図である。
【００２３】
図１（ａ）の第１実施の形態では、レンズと枠とからなる眼鏡を拭くための眼鏡拭き用クロスは、レンズを拭くためのレンズ拭き専用領域１と、枠を拭くための枠拭き専用領域２とに視覚により識別できるようにしてある。
【００２４】
このように、レンズ拭き専用領域１と枠拭き専用領域２とに視覚により識別できるようにし、状況に合わせてた使い方を可能にして、脂質によりレンズ部分を汚してしまうことを確実に防止できるようにしている。
【００２５】
また、レンズ拭き専用領域１は、眼鏡拭き用クロスの一面にあり、枠拭き専用領域２は、その他面にある。例えば、図１（ａ）に示すように、レンズ拭き専用領域１は、眼鏡拭き用クロスの表面にあり、枠拭き専用領域２は、その裏面にある。
【００２６】
また、レンズ拭き専用領域１と、枠拭き専用領域２とは、色彩により識別してあってもよい。例えば、表面のレンズ拭き専用領域１は、黄色であり、裏面の枠拭き専用領域２は、緑色である。
【００２７】
さらに、符号１ａは、レンズ拭き専用領域１を表示するためのものであり、例えば、文字により、「レンズ拭き専用」と表示してあってもよく、また、記号・図形であってもよく、例えば、「８」の字を横向きにして、レンズを表現するようにしてあってもよい。
【００２８】
さらに、符号２ａは、同様に、枠拭き専用領域２を表示するためのもであり、文字により、「枠拭き専用」と表示してあってもよく、また、記号・図形であってもよい。
【００２９】
さらに、販売促進用として眼鏡拭き用クロスを使用する場合、符号３は、眼鏡のメーカーや販売店の表示であり、又は、顧客の名前、電話番号等の表示であってもよい。
【００３０】
眼鏡拭き用クロスの形状であるが、図１（ａ）では、長方形であり、小から大まで特定しないが、好適な大きさとしては、Ａ４サイズである。
【００３１】
また、眼鏡拭き用クロスの周囲は、直線のまま、ジグザグに切り込む、波形状にするといったことができる。
【００３２】
さらに、眼鏡拭き用クロスの角部は、直角のまま、角を丸めるといったことができる。
【００３３】
図１（ｂ）は、第１実施の形態の変形例に係る眼鏡拭き用クロスの表面と裏面との図である。
【００３４】
本変形例では、眼鏡拭き用クロスの形状は、正方形であり、小から大まで特定しないが、好適な大きさとしては、２０ｃｍ四方である。表・裏で識別する眼鏡拭き用クロスは、当該正方形が好適である。その他の構成、作用、及び効果は、上記の実施の形態と同様である。
【００３５】
図１（ｃ）は、第１実施の形態の変形例に係る眼鏡拭き用クロスの表面と裏面との図である。
【００３６】
本変形例では、眼鏡拭き用クロスの形状は、円形であり、小から大まで特定しないが、好適な大きさとしては、直径２０ｃｍである。その他の構成、作用、及び効果は、上記の実施の形態と同様である。
【００３７】
図２（ａ）は、第１実施の形態の変形例に係る眼鏡拭き用クロスの表面と裏面との図である。
【００３８】
本変形例では、眼鏡拭き用クロスの形状は、楕円形であり、小から大まで特定しない。その他の構成、作用、及び効果は、上記の実施の形態と同様である。
【００３９】
図２（ｂ）は、第１実施の形態の変形例に係る眼鏡拭き用クロスの表面と裏面との図である。
【００４０】
本変形例では、眼鏡拭き用クロスの形状は、ひし形であり、小から大まで特定しない。その他の構成、作用、及び効果は、上記の実施の形態と同様である。
【００４１】
図２（ｃ）は、第１実施の形態の変形例に係る眼鏡拭き用クロスの表面と裏面との図である。
【００４２】
本変形例では、眼鏡拭き用クロスの形状は、三角形であり、小から大まで特定しない。その他の構成、作用、及び効果は、上記の実施の形態と同様である。
【００４３】
（第２実施の形態：図３及び図４）  
【００４４】
図３（ａ）は、本発明の第２実施の形態に係る眼鏡拭き用クロスの表面と裏面との図である。
【００４５】
図３（ａ）の第２実施の形態では、眼鏡拭き用クロスは、レンズを拭くためのレンズ拭き専用領域１と、枠を拭くための枠拭き専用領域２とに視覚により識別できるようにしてあり、これにより、状況に合わせてた使い方を可能にして、脂質によりレンズ部分を汚してしまうことを確実に防止することができる。
【００４６】
レンズ拭き専用領域１と、枠拭き専用領域２とは、眼鏡拭き用クロスの同じ面にあり、当該同じ面で、レンズ拭き専用領域１と、枠拭き専用領域２とに識別してある。
【００４７】
例えば、図３（ａ）に示すように、眼鏡拭き用クロスの表面の左右で、レンズ拭き専用領域１と、枠拭き専用領域２とに分けてあり、裏面も同様に左右で分けてある。
【００４８】
また、レンズ拭き専用領域１と、枠拭き専用領域２とは、色彩により左右に識別してあってもよい。例えば、図３（ａ）の表面において、左側の表面のレンズ拭き専用領域１は、赤色であり、右側の枠拭き専用領域２は、青色である。
【００４９】
図３（ａ）に示す左右で識別する場合の眼鏡拭き用クロスの形状は、長方形が好適であり、小から大まで特定しないが、好適な大きさとしては、Ａ４サイズである。
【００５０】
さらに、レンズ拭き専用領域１と枠拭き専用領域２とを分ける線は、実線、点線、ジグザグ線、波線などであってもよい。
【００５１】
符号１ａ、２ａ、３などを含めて、その他の構成、作用、及び効果は、上記の実施の形態と同様である。
【００５２】
図３（ｂ）は、第２実施の形態の変形例に係る眼鏡拭き用クロスの表面と裏面との図である。
【００５３】
本変形例では、眼鏡拭き用クロスの形状は、正方形であり、小から大まで特定しないが、好適な大きさとしては、２０ｃｍ四方である。その他の構成、作用、及び効果は、上記の実施の形態と同様である。
【００５４】
但し、本変形例では、斜めの線により、レンズ拭き専用領域１と、枠拭き専用領域２とに分けてある。
【００５５】
図３（ｃ）は、第２実施の形態の変形例に係る眼鏡拭き用クロスの表面と裏面との図である。
【００５６】
本変形例では、眼鏡拭き用クロスの形状は、円形であり、小から大まで特定しないが、好適な大きさとしては、直径２０ｃｍである。その他の構成、作用、及び効果は、上記の実施の形態と同様である。
【００５７】
図４（ａ）は、第２実施の形態の変形例に係る眼鏡拭き用クロスの表面と裏面との図である。
【００５８】
本変形例では、眼鏡拭き用クロスの形状は、楕円形であり、小から大まで特定しない。その他の構成、作用、及び効果は、上記の実施の形態と同様である。
【００５９】
図４（ｂ）は、第２実施の形態の変形例に係る眼鏡拭き用クロスの表面と裏面との図である。
【００６０】
本変形例では、眼鏡拭き用クロスの形状は、ひし形であり、小から大まで特定しない。その他の構成、作用、及び効果は、上記の実施の形態と同様である。
【００６１】
図４（ｃ）は、第２実施の形態の変形例に係る眼鏡拭き用クロスの表面と裏面との図である。
【００６２】
本変形例では、眼鏡拭き用クロスの形状は、三角形であり、小から大まで特定しない。その他の構成、作用、及び効果は、上記の実施の形態と同様である。
【００６３】
なお、本発明は、上述した実施の形態に限定されず、種々変形可能である。
【００６４】
例えば、本発明に係るクロスは、眼鏡拭き用であるが、枠拭き専用領域２は、オーディオ拭き、携帯電話拭き、その他の使用を妨げるものではない。
【図面の簡単な説明】
【００６５】
【図１】（ａ）は、本発明の第１実施の形態に係る眼鏡拭き用クロスの表面と裏面との図である。（ｂ）（ｃ）は、それぞれ、第１実施の形態の変形例に係る眼鏡拭き用クロスの表面と裏面との図である。
【図２】（ａ）（ｂ）（ｃ）は、それぞれ、第１実施の形態の変形例に係る眼鏡拭き用クロスの表面と裏面との図である。
【図３】（ａ）は、本発明の第２実施の形態に係る眼鏡拭き用クロスの表面と裏面との図である。（ｂ）（ｃ）は、それぞれ、第２実施の形態の変形例に係る眼鏡拭き用クロスの表面と裏面との図である。
【図４】（ａ）（ｂ）（ｃ）は、それぞれ、第２実施の形態の変形例に係る眼鏡拭き用クロスの表面と裏面との図である。
【００６６】
１  レンズ拭き専用領域
１ａ  レンズ拭き専用領域を表示するためのもの
２  枠拭き専用領域
２ａ  枠拭き専用領域を表示するためのもの
３  眼鏡のメーカーや販売店の表示
【図１】
2008145449.tif 000003
【図２】
2008145449.tif 000004
【図３】
2008145449.tif 000005
【図４】
2008145449.tif 000006